(57)【要約】【課題】  視覚的な趣向性を高めることができると共に、情報をフレキシブルに表示することができる回転表示装置及び遊技機を提供する。【解決手段】  筒状に形成され、表面に情報が表示される表示部３１と、表示部３１の内部に配置され、光を発する発光部３２とを備え、表示部３１は、軸心方向を中心に回転可能に構成される一方、光を透過する透光部３１１ａからなる透光領域３１１と、光を遮る遮光部３１２ａを少なくとも一部に有し且つ表面に情報が表示される情報表示領域３１２とを、周方向において交互に配設されることを特徴とする。【選択図】  図３
2011125557.tif 000002
【特許請求の範囲】
【請求項１】
筒状に形成され、表面に情報が表示される表示部と、表示部の内部に配置され、光を発する発光部とを備え、表示部は、軸心方向を中心に回転可能に構成される回転表示装置において、
表示部は、光を透過する透光部からなる透光領域と、光を遮る遮光部を少なくとも一部に有し且つ表面に情報が表示される情報表示領域とを、周方向において交互に配設されることを特徴とする回転表示装置。
【請求項２】
各透光領域の周方向全域に向けて少なくとも光を発する発光部に対して、発光部から透光領域に向けて照射される光を収束させる光学系を備える請求項１に記載の回転表示装置。
【請求項３】
発光部は、所定位置に表示部の透光領域が位置する状態と、当該所定位置に表示部の情報表示領域が位置する状態とで、発する光の量を変更可能に構成される請求項１又は２に記載の回転表示装置。
【請求項４】
各情報表示領域は、周方向における大きさが各透光領域よりも大きくなるように形成される請求項１〜３の何れか１項に記載の回転表示装置。
【請求項５】
請求項１〜４の何れか１項に記載の回転表示装置を備えることを特徴とする遊技機。
【発明の詳細な説明】
【技術分野】
【０００１】
本発明は、表面に情報が表示され且つ回転可能な表示部を備える回転表示装置に関し、また、その回転表示装置を備える遊技機に関する。
【背景技術】
【０００２】
従来、例えばパチンコやスロットマシンなどの遊技機に採用されている回転表示装置として、光を発する発光部と、発光部の周りで回転され且つ発光部から照射される光を反射する回転反射板とを備える回転表示装置が知られている（例えば、特許文献１）。斯かる回転表示装置によれば、遊技者に光の明暗を認識させることで、内部抽選に当選したことを演出又は報知することができる。
【０００３】
また、遊技機に採用される他の回転表示装置として、表面に情報が表示され且つ回転可能な表示部を備える回転表示装置が知られている（例えば、特許文献２）。斯かる回転表示装置によれば、表示部の周方向に亘って図柄等の情報が連続的に表示されているため、遊技状態や内部抽選結果等に応じて遊技関連情報を変動表示並びに停止表示することができる。
【先行技術文献】
【特許文献】
【０００４】
【特許文献１】特開２００８−２６４０５１号公報
【特許文献２】特開２００６−３２５８０５号公報
【発明の概要】
【発明が解決しようとする課題】
【０００５】
しかしながら、特許文献１に係る回転表示装置においては、光の明暗を使用して遊技者に対する視覚的な趣向性を高めることができる一方、抽選状態や抽選結果等の情報をフレキシブルに表示することができない。また、特許文献２に係る回転表示装置においては、遊技状態や抽選結果等の遊技関連情報をフレキシブルに表示できる一方、光の明暗を使用して遊技者に対する視覚的な趣向性を高めることができない。
【０００６】
よって、本発明は、斯かる事情に鑑み、情報をフレキシブルに表示することができると共に、視覚的な趣向性を高めることができる回転表示装置及び遊技機を提供することを課題とする。
【課題を解決するための手段】
【０００７】
本発明に係る回転表示装置は、筒状に形成され、表面に情報が表示される表示部と、表示部の内部に配置され、光を発する発光部とを備え、表示部は、軸心方向を中心に回転可能に構成される回転表示装置において、表示部は、光を透過する透光部からなる透光領域と、光を遮る遮光部を少なくとも一部に有し且つ表面に情報が表示される情報表示領域とを、周方向において交互に配設されることを特徴とする。
【０００８】
本発明に係る回転表示装置によれば、筒状に形成される表示部には、表面に情報が表示される情報表示領域が設けられている。これにより、表示部が軸心方向を中心に回転することで、情報表示領域に表示される情報が次々に現れることになる。
【０００９】
さらに、表示部には、光を透過する透光部からなる透光領域と、光を遮る遮光部を少なくとも一部有する情報表示領域とが、周方向において交互に配設されている。これにより、表示部が軸心方向を中心に回転することで、透光領域からの光と情報表示領域による光の遮断とにより、光の明暗に差を生じさせることができる。
【００１０】
また、本発明に係る回転表示装置においては、各透光領域の周方向全域に向けて少なくとも光を発する発光部に対して、発光部から透光領域に向けて照射される光を収束させる光学系を備えてもよい。
【００１１】
斯かる構成の回転表示装置によれば、発光部が各透光領域の周方向全域に少なくとも光を発するのに対して、透光領域に向けて照射される光を光学系が収束させる。これにより、表示部が軸心方向を中心に回転することで、透光領域からの収束した透過光と情報表示領域による遮光作用とにより、光の明暗の差をさらに明確にさせることができる。
【００１２】
また、本発明に係る回転表示装置においては、発光部は、所定位置に表示部の透光領域が位置する状態と、当該所定位置に表示部の情報表示領域が位置する状態とで、発する光の量を変更可能に構成されてもよい。
【００１３】
斯かる構成の回転表示装置によれば、透光領域が所定位置に位置する状態と、情報表示領域が当該所定位置に位置する状態とで、発光部が発する光の量を変更できる。これにより、例えば、対象者（回転表示装置が遊技機に採用された場合であれば、遊技者）と対面する位置に、情報表示領域が位置した状態よりも、透光領域が位置する状態で、発光部が発する光の量を大きくすると、光の明暗の差をさらに明確にさせることができる。
【００１４】
また、本発明に係る回転表示装置においては、各情報表示領域は、周方向における大きさが各透光領域よりも大きくなるように形成されてもよい。
【００１５】
斯かる構成の回転表示装置によれば、周方向における大きさについて、各情報表示領域の方が各透光領域よりも大きくなるように形成されている。これにより、表示部で表示できる情報量を多くすることができる。
【００１６】
しかも、表示部が回転する速度にも関係するが、各情報表示領域と各透光領域との周方向における大きさが同じである場合、表示部が回転すると、視覚的に、各情報表示領域の方が小さく感じられるのに対して、各情報表示領域の周方向における大きさを大きくすることで、例えば、表示部が回転すると、視覚的に、各情報表示領域と各透光領域とが略等しい大きさに感じられるようにすることもできる。
【００１７】
また、本発明に係る遊技機は、前記回転表示装置を備えることを特徴とする。
【００１８】
本発明に係る遊技機によれば、筒状に形成される表示部には、表面に遊技に関連する情報が表示される情報表示領域が設けられている。これにより、表示部が軸心方向を中心に回転することで、情報表示領域に表示される遊技状態や内部抽選結果等の関連情報が次々に現れることになる。
【００１９】
さらに、表示部には、光を透過する透光部からなる透光領域と、光を遮る遮光部を少なくとも一部に有する情報表示領域とが、周方向において交互に配設されている。これにより、表示部が軸心方向を中心に回転することで、透光領域からの光と情報表示領域による遮光作用とにより、遊技者に対して光の明暗に差を生じさせることができる。
【発明の効果】
【００２０】
以上の如く、本発明に係る回転表示装置及び遊技機によれば、表示部が軸心方向を中心に回転することで、情報表示領域に表示される情報が次々に現れることになるため、情報をフレキシブルに表示することができると共に、透光領域からの光と情報表示領域による遮光作用とにより、光の明暗の差を生じさせることができるため、趣向性を高めることができるという優れた効果を奏する。
【図面の簡単な説明】
【００２１】
【図１】本発明の一実施形態に係る遊技機の全体図であって、正面図を示す。
【図２】同実施形態に係る遊技機の制御系統図であって、ブロック図を示す。
【図３】同実施形態に係る回転表示装置の全体図であって、斜視図を示す。
【図４】同実施形態に係る回転表示装置の全体図であって、正面図を示す。
【図５】同実施形態に係る回転表示装置の全体図であって、図４のＡ−Ａ線における断面図を示す。
【図６】同実施形態に係る回転表示装置の全体図であって、図４のＢ−Ｂ線における断面図を示す。
【図７】同実施形態に係る回転表示装置の表示部の全体図であって、（ａ）は一方向からの斜視図、（ｂ）は反対方向からの斜視図を示す。
【図８】本発明の他の実施形態に係る回転表示装置の全体図であって、横断面図を示す。
【図９】本発明のさらに他の実施形態同実施形態に係る回転表示装置の制御図であって、（ａ）及び（ｂ）はそれぞれ正面位置における表示部の位置と光源の発光量との関係図を示す。
【発明を実施するための形態】
【００２２】
以下、本発明に係る回転表示装置及び遊技機における一実施形態について、図１〜図７を参酌して説明する。なお、本実施形態においては、回転表示装置が遊技機に採用され、また、遊技機がパチンコ機である場合について説明する。
【００２３】
本実施形態に係る遊技機は、図１及び図２に示すように、矩形状に枠組みされた外枠１と、外枠１にヒンジ部材１ａ，１ｂを介して開閉自在に取り付けられる遊技盤保持枠２と、遊技盤保持枠２の前面に対して開閉自在に取り付けられるガラス扉２ａと、ガラス扉２ａの裏面において遊技盤保持枠２に取り付けられる遊技盤３とを備える。そして、遊技機は、ガラス扉２ａに設けられる円形の開口部に取り付けられる透明板（例えばガラス板等）４を備え、透明板４を介して内部の遊技盤３が視認できるように構成されている。
【００２４】
また、遊技機は、遊技盤保持枠２の下部に遊技盤３に向けて遊技球を発射させるための発射装置（図示及び採番していない）を操作するためのハンドル５を備える。そして、遊技機は、発射装置に供給すべき遊技球を貯留しておく上皿６と、上皿６に貯留しきれない遊技球を貯留しておくための下皿７とを備える。
【００２５】
さらに、遊技機は、発射装置から発射された遊技球を遊技盤３の上部に導くべく、略円弧状に形成された一対のガイドレール８，８を備える。なお、遊技盤３には、多数の遊技釘（図示及び採番していない）が打設されており、遊技盤３内の遊技領域を転動する遊技球、即ち、遊技盤３の上部に導かれた遊技球が、複数の遊技釘に衝突を繰り返しつつ、又は遊技釘間を通って下方に落下するように構成されている。
【００２６】
そして、遊技機は、遊技盤３の各位置に、遊技球が入球可能な各口部（具体的には、第１及び第２始動口部１１，１２、第１及び第２大入賞口部１３，１４、ゲート部１５並びに複数の一般入賞口部１６，…）と、情報を表示可能な各表示部（具体的には、第１及び第２特別図柄表示部２１，２２、普通図柄表示部２３、第１〜第３演出表示部２４，２５，２６、時短回数表示部２７並びに回転表示装置３０）を備える。
【００２７】
また、遊技機は、遊技盤３の下部領域には、各口部１１〜１６に入球しなかった遊技球を機内に回収するためのアウト球取込部４１を備える。そして、遊技機は、遊技盤３の遊技領域の周辺部に、遊技中に点滅表示される飾りランプ、賞球を払い出するときに点灯する賞球ランプ、及び補給が切れたときに点灯する球切れランプ等の各種ランプ４２，…と、遊技盤保持枠２の下部前面の左右位置に、効果音を発生させる二つのスピーカ４３，４３とを備える。
【００２８】
さらに、遊技機は、所定の状態で操作されるべく、上皿６の前面位置に、第１（左）ボタン４４１、第２（中）ボタン４４２及び第３（右）ボタン４４３の複数のボタンを有する操作部４４を備える。加えて、遊技機は、各部を制御すべく、主制御部５１と主制御部５１に接続される副制御部５２とを有する制御部５０を備える。
【００２９】
第１始動口部１１、第２始動口部１２、第１大入賞口部１３、第２大入賞口部１４、ゲート部１５及び複数の一般入賞口部１６，…は、入球した遊技球を検出すべく、それぞれ検出手段（具体的には、第１始動口センサ１１１、第２始動口センサ１２１、第１大入賞口センサ１３１、第２大入賞口センサ１４１、ゲートセンサ１５１及び複数の一般入賞口センサ１６１，…）を備える。
【００３０】
また、第２始動口部１２、第１大入賞口部１３及び第２大入賞口部１４は、それぞれ入球可能な状態（開状態）と入球を防止する状態（閉状態）とに切り替えるべく、傾動可能な一対の開閉板からなる開閉部（具体的には、第２始動口開閉部１２２、第１大入賞口開閉部１３２及び第２大入賞口開閉部１４２）と、各開閉部１２２，１３２，１４２を駆動させる駆動部（具体的には、第２始動口駆動部１２２、第１大入賞口駆動部１３３及び第２大入賞口駆動部１４３）とを備える。
【００３１】
第３演出表示部２６は、遊技盤３の中心のやや上方に配置され、その直下の位置に、第２演出表示部２５が配置され、その直上の位置に、時短回数表示部２７が配置される。また、第３演出表示部２６から離れた斜め左下の位置に、第１演出表示部２４が配置されると共に、第３演出表示部２６から離れた斜め右下の位置に、第１特別図柄表示部２１、第２特別図柄表示部２２及び普通図柄表示部２３が配置される。そして、第３演出表示部２６から離れた真下の位置に、回転表示装置３０が配置される。
【００３２】
なお、本実施形態において、第１特別図柄表示部２１、普通図柄表示部２３、第１演出表示部２４及び時短回数表示部２７は、２桁の７セグメント表示器とし、第２特別図柄表示部２２及び第２演出表示部２５は、３桁の７セグメント表示器とし、第３演出表示部２６は、ドットマトリクス表示器としている。
【００３３】
図３〜図７に示すように、回転表示装置３０は、外周が筒状に形成され、表面に情報が表示される表示部３１と、表示部３１の内部(中心部)に配置され、表示部３１の周方向に亘って光を発する発光部３２とを備える。そして、回転表示装置３０は、発光部３２が表示部３１に向けて発する光を拡散させる光学系３３を備える。なお、表示部３１は、軸心方向を中心に回転可能に構成される。
【００３４】
また、回転表示装置３０は、表示部３１を収容し、遊技盤３の後方（裏側）に取り付けられる収容体３４と、収容体３４を遊技盤３に固定すべく、遊技盤３の前方（表側）に取り付けられる枠体３５と、収容体３４の下方側に配置される基体３６とを備える。さらに、回転表示装置３０は、表示部３１を回転させるべく、駆動源となる回転駆動手段３７と、回転駆動手段３７の駆動を表示部３１に伝達させる伝達手段３８と、表示部３１の基準位置を検出する位置検出手段３９とを備える。
【００３５】
表示部３１は、光を透過する透光部３１１ａからなる透光領域３１１，３１１と、光を遮る遮光部３１２ａを一部に有し且つ表面に情報が表示される情報表示領域３１２，３１２とを備える。具体的には、透光領域３１１，３１１及び情報表示領域３１２，３１２は、周方向における大きさが略同じ（各略９０°の領域）となるように形成され、表示部３１の周方向において交互に二つずつ配置されている。また、表示部３１は、下部が円筒状に形成されると共に、上端にドーム型の天井部が形成されている。
【００３６】
各透光領域３１１は、例えば無色透明のプラスチック（剛性を有する合成樹脂）から形成され、領域全体が透光可能な透光部３１１ａのみで構成されている。また、各透光領域３１１は、湾曲した板状に形成され、発光部３２から照射された光を乱反射させることなく外部に向けて透過するように構成されている。なお、図７において、各透光領域３１１と各情報表示領域３１２との各領域を明確に図示すべく、外周面及び内周面に設けられる凹凸状をそれぞれ一部省略している。
【００３７】
各情報表示領域３１２は、例えば銀色(有色)のメッキ処理を施したプラスチック（剛性を有する合成樹脂）から形成される遮光部３１２ａの表面に設けられる凹凸状の情報（文字、図柄等）を備える。さらに、各情報表示領域３１２は、その情報だけでなく、透光可能な透光部３１２ｂを備えることで、透光部３１２ｂの形状等からなる情報も表示している。
【００３８】
そして、各情報表示領域３１２の透光部３１２ｂは、内周面が凹凸状に形成されることで、発光部３２から照射された光を乱反射させるように構成されている。なお、各情報表示領域３１２の透光部３１２ｂは、例えば無色透明のプラスチック（剛性を有する合成樹脂）で形成されている。
【００３９】
本実施形態において、一方の情報表示領域３１２は、「ＺＯＮＥ」という形状の透光部３１２ｂを備え、その上方及び下方位置の遮光部３１２ａに「ＣＨＡＮＣＥ」という凹凸形状をそれぞれ備えている。そして、他方の情報表示領域３１２は、「Ｖ」という形状の透光部３１２ｂを備え、その上方及び下方位置の遮光部３１２ａに「Ｅ−ＺＯＮＥ」という凹凸形状（上方の凹凸形状の方が下方の凹凸形状よりも大きい）をそれぞれ備えている。
【００４０】
発光部３２は、平板状の基板３２１と、基板３２１の両面にそれぞれ配置実装される複数の光源３２２，…とを備える。なお、基板３２１は、一方の面（前面）が正面を向くように遊技盤３の面に沿って配置され、前面及び後面にそれぞれ光源３２２，…を配置している。そして、発光部３２は、表示部３１の略軸心（略中心）の位置に配置されると共に、基板３２１の下端部は、基体３６に固定されている。
【００４１】
また、各光源３２２は、複数の色彩光を発する発光素子からなる。例えば、各光源３２２は、赤色・青色・緑色ＬＥＤによりあらゆる色を表示可能なフルカラーＬＥＤや、単色で赤・青・緑、二色混色での黄・シアン・マゼンダ、三色混色での白の計７色を表示可能なマルチカラーＬＥＤで構成されている。
【００４２】
光学系３３は、筒状に形成されると共に、上端側（一端側）を半球形状（ドーム形状）に形成されている。そして、光学系３３は、表示部３１と発光部３２との間に介在される。具体的には、光学系３３は、発光部３２を内部に収容する一方、表示部３１の内部に収容される。また、光学系３３は、下方側で表示部３１の下方側に固定されることにより、表示部３１と一体的になって軸心方向（上下方向）を中心に回転する。
【００４３】
さらに、光学系３３は、外周面及び内周面が凹凸状に形成されている。これにより、光学系３３は、発光部３２から照射された光を乱反射（拡散）させて、表示部３１の周方向に亘って放射状に照射するように構成される。なお、光学系３３は、例えば無色透明のプラスチック（剛性を有する合成樹脂）から形成されている。
【００４４】
収容体３４は、表示部３１の後方側の略半分を覆うように構成されている。そして、収容体３４は、内周面（表示部３１の後方側と対向する面）で、発光部３２からの光を反射（拡散）するように構成されている。
【００４５】
これにより、発光部３２からの光が収容体３４の内周面を照らすことで、あたかも発光部３２からの光が前方から後方へ旋回移動したように錯覚させ、視覚効果（回転反射板を備える従来の回転表示装置のような視覚効果）をより効果的に生じさせる。なお、収容体３４は、例えば白色（有色）のプラスチック（剛性を有する合成樹脂）で形成されている。
【００４６】
枠体３５は、遊技盤３の前方側（正面側）に配置され、木ネジ等によって遊技盤３の前面に固着される。そして、枠体３５は、遊技盤３の後方側（背面側）に配置される収容体３４とで、遊技盤３を挟持することにより、遊技盤３に取り付けられる。また、枠体３５は、上方側で、第１始動口部１１と連結される。具体的には、枠体３５は、第１始動口部１１と一体的に形成されている。
【００４７】
基体３６は、表示部３１が所定位置を中心に回転可能とすべく、表示部３１の下方側を支持する軸受部３６１を備える。また、基体３６は、回転駆動手段３７を固定している。なお、回転駆動手段３７は、入力電源を制御することで回転角度を制御可能な電動機とし、本実施形態においては、パルス状の入力電流を受けて、１パルス当たり一定の角度だけ歩進回転するようにしたステッピングモータとしている。
【００４８】
伝達手段３８は、回転駆動手段３７の出力軸に固定される駆動ギア３８１と、表示部３１（及び／又は光学系３３）の下方側に固定される駆動受ギア３８２と、駆動ギア３８１の駆動を駆動受ギア３８２に伝達させる伝達ギア３８３とを備える。そして、伝達ギア３８３は、基体３６に支持される大小一対の歯車が同軸上で回転し、一方の歯車が駆動受ギア３８１と噛合し且つ他方の歯車が駆動ギア３８２と噛合することで、駆動ギア３８１の駆動を変速して、駆動受ギア３８２に伝達させている。
【００４９】
位置検出手段３９は、基体３６に固定され、表示部３１の基準位置を検出するための検出部３９１と、検出部３９１で検出されることで表示部３１の角度位置を検出すべく、表示部３１（具体的には、表示部３１と一体的に回転する駆動受ギア３８２）の下方側に取り付けられる舌片状の被検出体３９２とを備える。そして、検出部３９１は、本実施形態において発光部と受光部とを対向配置するフォトセンサとしており、被検出体３９２の通過を検知するように構成されている。
【００５０】
図２に戻り、主制御部５１は、各種演算を行うＣＰＵ５１１と、ＣＰＵ５１１で行う演算の基礎となるプログラム（例えば、遊技プログラム５１２ａ等）が記憶されているＲＯＭ５１２と、データの読み書きに用いられるＲＡＭ５１３とを備える。また、主制御部５１は、入力信号が入力される入力ポート５１４と、出力信号を出力する出力ポート５１５とを備える。
【００５１】
そして、主制御部５１の入力ポート５１４には、第１及び第２始動口センサ１１１，１２１と、第１及び第２大入賞口センサ１３１，１４１と、ゲートセンサ１５１と、一部の一般入賞口センサ１６１とが接続されている。また、主制御部５１の出力ポート５１５には、第２始動口駆動部１２３と、第１及び第２大入賞口駆動部１３３，１４３と、第１及び第２特別図柄表示部２１，２２と、普通図柄表示部２３とが接続されている。
【００５２】
副制御部５２は、各種演算を行うＣＰＵ５２１と、ＣＰＵ５２１で行う演算の基礎となるプログラム（例えば演出プログラム５２２ａ等）が記憶されているＲＯＭ５２２と、データの読み書きに用いられるＲＡＭ５２３とを備える。また、副制御部５２は、入力信号が入力される入力ポート５２４と、出力信号を出力する出力ポート５２５とを備える。
【００５３】
そして、副制御部５２の入力ポート５２４には、残りの一般入賞口センサ１６１と、第１〜第３ボタン４４１，４４２，４４３と、回転表示装置３０の位置検出手段３９とが接続されている。また、副制御部５２の出力ポート５２５には、第１〜第３演出表示部２４，２５，２６と、時短回数表示部２７と、回転表示装置３０の発光部２２（各光源３２２）と、回転表示装置３０の回転駆動手段３７と、各種ランプ４２と、スピーカ４３とが接続されている。
【００５４】
本実施形態に係る回転表示装置３０及び遊技機の構成については以上の通りであり、次に、本実施形態に係る回転表示装置３０の動作及び遊技機の遊技方法について説明する。
【００５５】
まず、第１始動口部１１に遊技球が入球すると、第１特別図柄抽選に用いる乱数値を取得すると共に、所定数（例えば３個）の賞球（遊技球）が払い出される。そして、第１特別図柄抽選の結果が第１特別図柄表示部２１に導出される。このとき、第１特別図柄表示部２１が図柄を変動するのに同期して、第１演出表示部２４が図柄変動させて演出を行う。
【００５６】
そして、第１特別図柄抽選に当選すると、第１特別図柄表示部２１に特定賞の図柄（「当たり」の図柄ともいい、例えば「７７」や「３３」）又は所定賞の図柄（「小当たり」の図柄ともいい、例えば「１１」や「５５」）が導出される。これに併せて、第１大入賞口部開閉部１３２が開放される（「閉状態」から「開状態」となる）ため、第１大入賞口部１３に遊技球が入球可能な状態となり、入球すると所定数（例えば３個）の賞球が払い出される。
【００５７】
しかも、回転表示装置３０が発光部３２を発光させて且つ表示部３１を回転させて演出を行う。このとき、一方の情報表示領域３１２が正面で停止した場合には、例えば時短に移行するのが確定した情報を報知し、また、他方の情報表示領域３１２が正面で停止した場合には、例えば、高確率状態へ移行した期待度が高い情報を報知することにしている。
【００５８】
その後、ゲート部１５に入球すると、第２始動口開閉部１２２が開放される（「開状態」となる）ため、第２始動口部１２に遊技球が入球可能な状態となる。さらに、第２始動口部１２に遊技球が入球すると、第２特別図柄抽選に用いる乱数値を取得すると共に、所定数（例えば３個）の賞球が払い出される。
【００５９】
そして、第２特別図柄抽選の結果が第２特別図柄表示部２２に導出される。このとき、第２特別図柄表示部２２が図柄を変動するのに同期して、第２演出表示部２５が図柄変動させて演出を行うと共に、回転表示装置３０が発光部３２を発光させて且つ表示部３１を回転させて演出を行う。
【００６０】
ここで、第２演出表示部２５（及び第２特別図柄表示部２２）がリーチ状態（３桁の７セグメント表示器のうち、２桁が同じ数字を停止表示し、残りの１桁が変動表示している状態）となった場合に、第３演出表示部２６が図柄に係る演出を行う。そして、第２特別図柄抽選に当選すると、第２特別図柄表示部２２及び第２演出表示部２５に特別賞の図柄（「大当たり」の図柄ともいい、例えば「７７７」、「３３３」、「１１１」又は「５５５」）が導出される。
【００６１】
これに併せて、第２大入賞口部開閉部１４２が開放される（「開状態」となる）ため、第２大入賞口部１４に遊技球が入球可能な状態となり、入球すると所定数（例えば１５個）の賞球が払い出される。さらに、第３演出表示部２６が特別賞に当選したという情報に係る図柄の演出を行うと共に、回転表示装置３０が発光部３２を発光させて且つ表示部３１を回転させて演出を行う。
【００６２】
ところで、回転表示装置３０は、さまざまな情報を報知するために、例えば、（１）発光部３２が発する光の色、（２）発光部３２が発する光の色の変化（例えば、透光領域３１１が正面に位置した際と、情報表示領域３１２が正面に位置した際との光の色を変化させる等）、（３）表示部３１の回転方向（右回りと左回り）、（４）表示部３１の回転速度（高速と低速）、（５）表示部３１の回転速度の変化（加速と減速）、（６）正面位置での停止領域（正面位置で透光領域３１１を停止させるか、何れの情報表示領域３１２を停止させるか、といった制御部５０による停止制御）等の要素を一つ又は複数組み合わせることで、さまざまパターンの演出を行う。
【００６３】
以上より、本実施形態に係る回転表示装置３０及び遊技機によれば、筒状に形成される表示部３１には、表面に情報が表示される情報表示領域３１２，３１２が設けられている。これにより、表示部３１が軸心方向（上下方向）を中心に回転することで、各情報表示領域３１２に表示される抽選状態や抽選結果等の情報が次々に現れることになるため、情報をフレキシブルに表示することができる。
【００６４】
また、本実施形態に係る回転表示装置３０及び遊技機によれば、表示部３１には、光を透過する透光部３１１ａからなる透光領域３１１と、光を遮る遮光部３１２ａで殆どの領域を占める情報表示領域３１２とが、周方向で交互に配設されている。これにより、表示部３１２が軸心方向を中心に回転することで、各透光領域３１１から外部に向けて照射される光と各情報表示領域３１２での遮光作用により、遊技者に対して光の明暗の差を生じさせることができるため、趣向性を高めることができる。
【００６５】
なお、本発明に係る回転表示装置及び遊技機は、上記した実施の形態に限定されるものではなく、本発明の要旨を逸脱しない範囲内において種々変更を加え得ることは勿論である。また、下記する各種の変更例に係る構成や方法等を任意に選択して、上記した実施形態に係る構成や方法等に採用してもよいことは勿論である。
【００６６】
例えば、上記実施形態に係る回転表示装置３０においては、光学系３３が周方向に亘って光を乱反射（拡散）する場合を説明したが、斯かる場合に限られない。具体的には、図８に示すように、光学系３３０は、少なくとも各透光領域３１１の周方向全域（具体的には、表示部３１の周方向全域）に向けて放射状に光を発する発光部３２からの光を収束させる収束部３３１を備える場合でもよい。
【００６７】
図８に示す光学系３３０は、外周面及び内周面が湾曲した凸状に形成され、発光部３２から各透光領域３１１に向けて照射される光を収束させる凸レンズ状の収束部３３１と、外周面及び内周面が凹凸状に形成され、発光部３２から各情報表示領域３１２に向けて照射される光を乱反射（拡散）させる拡散部３３２とを備える。そして、各収束部３３１は、焦点Ｆが遊技者の視点の位置と略一致すべく光を収束するように構成されている。なお、図８において、光の収束状況を二点鎖線で示している。
【００６８】
斯かる構成によれば、発光部３２が各透光領域３１１の周方向全域に向けて光を発するのに対して、光学系３３０が光を収束させることで、表示部３１（透光領域３１１）から収束した光を照射できる。これにより、表示部３１が軸心方向を中心に回転することで、各透光領域３１１からの光と各情報表示領域３１２からの光とにより、光の明暗の差をさらに明確にさせることができるため、あたかも発光部３２からの光が前方から後方へ旋回移動したように錯視させて、視覚効果をより効果的に生じさせ得る。
【００６９】
また、上記実施形態に係る回転表示装置３０においては、発光部３２で発する光の量が略一定である場合を説明したが、斯かる場合に限られない。例えば、発光部３２は、所定位置（遊技者と対面する位置、即ち、正面位置）に各透光領域３１１が位置する状態と、当該所定位置に各情報表示領域３１２が位置する状態とで、発する光の量（発光量、輝度）を変更可能に構成される場合でもよい。
【００７０】
具体的には、発光部３２は、正面位置に各透光領域３１１が位置する状態の方が、正面位置に各情報表示領域３１２が位置する状態よりも、発する光の量が大きくなるように、制御部５０で制御される。ここで、上記実施形態に係る回転表示装置３０において、斯かる制御を採用した場合の一例を、図９に示す。
【００７１】
例えば、図９（ａ）に示すように、透光領域３１１が正面位置に位置した際に、各光源３２２が発する光の量を大きくなるように、基板３２１の前面及び後面に配置される光源３２２，…を同期させる場合でもよく、また、図９（ｂ）に示すように、一方の透光領域３１１が正面位置に位置した際に、前面に配置される光源３２２のみが発する光の量を大きくなるように制御すると共に、他方の透光領域３１１が正面位置に位置した際に、後面に配置される光源３２２のみが発する光の量を大きくなるように制御する場合でもよい。
【００７２】
斯かる構成によれば、正面位置に透光領域３１１が位置する状態と、正面位置に情報表示領域３１２が位置する状態とで、発光部３２で発する光の量を変更できる。これにより、情報表示領域３１２が正面位置に位置した状態よりも、透光領域３１１が正面位置に位置する状態で、発光部３２で発する光の量を大きくなるため、遊技者に対して、光の明暗の差をさらに明確にさせることができる。
【００７３】
なお、発光部３２で発する光の量を変更する構成には、図９(ａ)及び図９(ｂ)に示すように光量を直線的に変化させる制御、所謂台形制御を行う場合のほか、光量を曲線的に変化させることも含まれる。さらに、上記のように光量を連続的に変化させる以外に発光部３２が光を発する状態と、発光部３２が光を発するのを停止する状態とに切り替える場合も含んでいる。また、上記とは反対に、所定位置に情報表示領域３１２が位置する状態の方が、所定位置に透光領域３１１が位置する状態よりも、発光部３２で発する光の量を大きくする場合も含んでいる。
【００７４】
また、上記実施形態に係る回転表示装置３０においては、表示部３１が円筒状に形成されると共に、上端側を半球形状に形成されて略閉塞されている（詳しくは一部開口している）場合を説明したが、斯かる場合に限られない。例えば、表示部は、四角筒状や多角筒状に形成される場合でもよく、また、上下方向（軸心方向）の両端が開放された筒状や、上下方向（軸心方向）の両端が閉塞された筒状に形成される場合でもよい。
【００７５】
さらには、表示部は、上下方向（軸心方向）の一端部から他端部に向けて広がる（拡径する）筒状に形成される場合でもよい。加えて、表示部は、上下方向（軸心方向）の中途部から両端部に向けて広がる筒状や、上下方向（軸心方向）の中途部から両端部に向けて狭まる（縮径する）筒状に形成される場合でもよい。
【００７６】
また、上記実施形態に係る回転表示装置３０は、表示部３１が各透光領域３１１と各情報表示領域３１２とを二つずつ周方向において交互に配置される場合を説明したが、斯かる場合に限られず、表示部は、透光領域と情報表示領域とを一つずつ周方向において配置される場合でもよく、また、三つ以上ずつ周方向において交互に配置される場合でもよい。
【００７７】
また、上記実施形態に係る回転表示装置３０は、透光領域３１１，３１１及び情報表示領域３１２，３１２の周方向における大きさが略同じ（各略９０°の領域）となるように形成される場合を説明したが、斯かる場合に限られない。例えば、各情報表示領域は、周方向における大きさが各透光領域よりも大きくなるように形成される場合でもよい。
【００７８】
斯かる構成によれば、表示部で表示できる情報量を多くすることができる。しかも、表示部が回転する速度にも関係するが、上記実施形態のように各情報表示領域３１２と各透光領域３１１との周方向における大きさが略同じである場合、表示部３１が回転すると、視覚的に、各情報表示領域３１２の方が小さく感じられるのに対して、各情報表示領域の周方向における大きさの方を大きくすることで、例えば、表示部が回転すると、視覚的に、各情報表示領域と各透光領域とが同じ大きさに感じられるようにすることもできる。
【００７９】
また、上記実施形態に係る回転表示装置３０においては、透光領域３１１における透光部３１１ａが透光可能な部材から形成されている場合を説明したが、斯かる場合に限られず、例えば、一部や全部が開口（開放状態、即ち、部材が存在しておらず表示部の内部と外部とを貫通させている状態）である場合でもよい。
【００８０】
また、上記実施形態に係る回転表示装置３０においては、情報表示領域３１２における透光部３１２ｂが透光可能な部材から形成されている場合を説明したが、斯かる場合に限られず、例えば、開口（開放状態、即ち、部材が存在しておらず表示部の内部と外部とを貫通させている状態）である場合でもよい。
【００８１】
また、上記実施形態に係る回転表示装置３０においては、各情報表示領域３１２が遮光部３１２ａを一部に備える場合を説明したが、斯かる場合に限られない。例えば、各情報表示領域は、全部が遮光部から構成される場合でもよい。斯かる構成を採用する場合、各情報表示領域には、形状や模様（色彩の組み合わせ）等からなる情報が表面に表示されている。
【００８２】
また、上記実施形態に係る回転表示装置３０は、発光部３２が表示部３１の中心部に配置されると共に、表示部３１が発光部３２の位置を中心に回転する場合を説明したが、斯かる場合に限られない。例えば、発光部３２が表示部３１の中心部から外れた位置に配置される場合でもよく、また、表示部３１が中心部から外れた位置を中心に回転する場合でもよい。
【００８３】
また、上記実施形態に係る回転表示装置３０においては、発光部３２が複数の色の光を発する発光素子を実装したＬＥＤ基板である場合を説明したが、斯かる場合に限られない。例えば、発光部は、単色の光を発する照明器具（例えば、クリンプトン球）である場合でもよい。
【００８４】
また、上記実施形態に係る回転表示装置３０においては、パチンコ機に採用される場合を説明したが、斯かる場合に限られず、例えばスロットマシンやゲーム機といった他の遊技機に採用することはもとより、宣伝広告灯等に適用する場合でもよく、採用される用途は特に限定されない。
【００８５】
また、上記実施形態に斯かる遊技機においては、パチンコ機である場合を説明したが、係る場合に限られず、例えば、スロットマシンやゲーム機といった他の遊技機である場合でもよい。
【符号の説明】
【００８６】
３０…回転表示装置、３１…表示部、３２…発光部、３３…光学系、３１１…透光領域、３１１ａ…透光部、３１２…情報表示領域、３１２ａ…遮光部
【図１】
2011125557.tif 000003
【図２】
2011125557.tif 000004
【図３】
2011125557.tif 000005
【図４】
2011125557.tif 000006
【図５】
2011125557.tif 000007
【図６】
2011125557.tif 000008
【図７】
2011125557.tif 000009
【図８】
2011125557.tif 000010
【図９】
2011125557.tif 000011